(57)【特許請求の範囲】
【請求項１】
筐体の表面に、筐体の幅方向とは直交する方向に並べて表示部と操作部とが設けられ、該筐体の内部空間には、前記操作部の操作によって押圧されるべきスイッチシートが配備され、該筐体の内部空間を防水する防水パッキンが設けられている防水型電子機器において、
複数の操作キーが形成されたキーシートと、該キーシートの外周部が防水テープによって表面に貼着固定されているフロントパネルと、前記フロントパネルと前記スイッチシートとの間に介在する押し子シートとを備え、
前記フロントパネルには、前記複数の操作キーのそれぞれに対応する複数の第１開口部と、前記表示部と対応する１つの第２開口部とが開設され、
前記押し子シートには、前記複数の操作キーのそれぞれに対応する複数の押し子が形成されて、各押し子がフロントパネルの各第１開口部内を各操作キーへ向けて突出し、
前記防水パッキンと、前記キーシートの外周部と、前記外周部に貼着された前記防水テープは、筐体幅方向の断面において上下に重なる位置を通過し、
前記防水パッキンは、前記複数の第１開口部と前記１つの第２開口部とを包囲するようにループ状に形成され、前記フロントパネルの裏面に配置されていることを特徴とする防水型電子機器。
【請求項２】
前記フロントパネルは、内側に向けて張り出しており、張り出した部分の筐体幅方向上側の面に前記防水テープによって前記キーシートの外周部が貼着固定されると共に、前記張り出した部分の筐体幅方向下側の面に前記防水パッキンが通過する、
請求項１に記載の防水型電子機器。
【請求項３】
前記押し子シートの各押し子は、キーシートの各操作キーへ向けて突出する押し子上半部と、スイッチシートに向けて突出する押し子下半部とから構成されている請求項１又は請求項２に記載の防水型電子機器。
【請求項４】
前記防水パッキンは、前記フロントパネルと、筐体内に配備された前記スイッチシートを筐体内で支持する樹脂フレームとの間で圧縮される請求項１乃至請求項３の何れかに記載の防水型電子機器。
【請求項５】
前記キーシートは、表面に前記複数の操作キーが形成された第１弾性シートと、該第１弾性シートの裏面に貼り付けられた平板状の第２弾性シートとから構成される請求項１乃至請求項４の何れかに記載の防水型電子機器。
【発明の詳細な説明】
【技術分野】
【０００１】
本発明は、表示部と操作部を具えた防水型の電子機器に関するものである。
【背景技術】
【０００２】
従来、防水型の携帯電話機においては、筐体の内部空間に対して防水を図るべく、該内部空間を形成している２つの部材(例えば筐体を構成するフロントキャビネットとバックキャビネット)の間に防水パッキンを配備することが行なわれている(特許文献１参照)。
【０００３】
例えば図５に示す携帯電話機においては、筐体(９)の表面に、液晶表示画面等から構成される表示部(90)と複数の操作キー(81)とが配備されており、図６の如く、筐体(９)を構成するフロントパネル(91)の内側から、弾性材料からなるキーシート(８)が組み付けられている。
【０００４】
キーシート(８)は、それぞれ複数の操作キー(81)と押し子(83)を一体に具えており、外周部に形成された固定部(82)にてフロントパネル(91)に固定されている。
更に、キーシート(８)の固定部(82)の外側には、Ｏリングからなる防水パッキン(92)が配備されて、筐体(９)の内部空間に対する防水が図られている。
【先行技術文献】
【特許文献】
【０００５】
【特許文献１】特開２００５−３４０６８２号公報
【発明の概要】
【発明が解決しようとする課題】
【０００６】
しかしながら、図５及び図６に示す防水型携帯電話機においては、キーシート(８)の固定部(82)と防水パッキン(92)とが、筐体(９)の幅方向、即ち操作キー(81)の配列面と平行な幅方向にずれて配備されているために、筐体(９)の側面から操作キー(81)の配列領域までの距離(オフセット量)Ａ１が大きくなり、これに伴って複数の操作キー(81)の配列領域の幅Ｗ１が狭くなり、その結果、各操作キー(81)のサイズが小さくなって操作性が悪化する問題があった。
【０００７】
そこで本発明の目的は、複数の操作キーの配列領域の幅を従来よりも拡大することが出来る防水型電子機器を提供することである。
【課題を解決するための手段】
【０００８】
本発明に係る防水型電子機器においては、筐体(１)の表面に、筐体(１)の幅方向とは直交する方向に並べて表示部(10)と操作部(18)とが設けられ、該筐体(１)の内部空間には、前記操作部(18)の操作によって押圧されるべきスイッチシート(５)が配備され、該筐体(１)の内部空間を形成する２つの部材(例えばフロントパネル(11)のパネル部(13)と樹脂フレーム(６))の間には防水パッキン(７)が介在している。
【０００９】
又、本発明に係る防水型電子機器は、前記複数の操作キー(21)が形成されたキーシート(２)と、該キーシート(２)の外周部(20)が表面に貼着固定されているフロントパネル(11)と、前記フロントパネル(11)とスイッチシート(５)との間に介在する押し子シート(３)とを備えている。
【００１０】
前記フロントパネル(11)には、前記複数の操作キー(21)のそれぞれに対応する複数の第１開口部(15)と、前記１つの表示部(10)と対応する１つの第２開口部(16)とが開設されている。
【００１１】
前記押し子シート(３)には、前記複数の操作キー(21)のそれぞれに対応する複数の押し子(31)が形成されて、各押し子(31)がフロントパネル(11)の各第１開口部(15)内を各操作キー(21)へ向けて突出している。
【００１２】
前記防水パッキン(７)は、前記キーシート(２)の外周部(20)の内、筐体(１)の幅方向の両側部と重なる位置を通過し、且つ前記複数の第１開口部(15)と前記１つの第２開口部(16)とを包囲するループ状の経路を延びている。
【００１３】
より具体的には、前記キーシート(２)の外周部(20)は、防水テープ(71)を介して、フロントパネル(11)の表面に貼着固定されている。
【００１４】
上記防水型電子機器においては、キーシート(２)がフロントパネル(11)の表面側から組み付けられて、キーシート(２)の外周部(20)がフロントパネル(11)の表面に貼着固定されているので、キーシート(２)の裏面とスイッチシート(５)の表面との間に、フロントパネル(11)の介在によるギャップが生じるが、該ギャップ内に押し子シート(３)が介在して、キーシート(２)の操作キー(21)の押圧時には、該操作キー(21)の変位が、押し子シート(３)の押し子(31)を介して、スイッチシート(５)のスイッチ部に伝えられる。
【００１５】
ここで、フロントパネル(11)には、複数の第１開口部(15)が開設されているが、これら複数の第１開口部(15)の間には格子状の桟部(14)が形成されているので、操作キー(21)の押圧操作によってフロントパネル(11)自体は殆ど変形せず、該フロントパネル(11)の第１開口部(15)内にて押し子シート(３)の押し子(31)が弾性変位して、スイッチシート(５)のスイッチ部を押圧する。これによって、スイッチシート(５)のスイッチ部の接点が閉じられることになる。
【００１６】
上記防水型電子機器によれば、キーシート(２)がフロントパネル(11)の表面側から組み付けられて、キーシート(２)の外周部(20)がフロントパネル(11)の表面に貼着固定されているので、フロントパネル(11)の裏面側に、キーシート(２)の外周部(20)の幅方向の両側部(固定部)と重ねて、防水パッキン(７)を配置することが出来る。この防水パッキン(７)によって、筐体(１)の内部空間に対する防水が図られる。
【００１７】
上記の如く、キーシート(２)の固定部と防水パッキン(７)とが筐体(１)の幅方向に沿う断面において上下に重なるので、筐体(１)の側面から操作キー(21)の配列領域(操作部(18))までの距離(オフセット量)Ａが小さくなり、これに伴って複数の操作キー(21)の配列領域の幅Ｗが広くなる。
【発明の効果】
【００１８】
本発明に係る防水型電子機器によれば、複数の操作キーの配列領域の幅を従来よりも拡大することが出来、これによって、各操作キーのサイズ若しくはキー間隔が大きくなって操作性が良好となる。
【図面の簡単な説明】
【００１９】
【図１】図１は、本発明の一実施形態である防水型携帯電話機の平面図である。
【図２】図２は、該携帯電話機を構成するフロントパネルの平面図である。
【図３】図３は、該携帯電話機の要部を表わす断面図である。
【図４】図４は、該携帯電話機の要部を分解した状態の断面図である。
【図５】図５は、従来の防水型携帯電話機の平面図である。
【図６】図６は、従来の防水型携帯電話機の要部を表わす断面図である。
【発明を実施するための形態】
【００２０】
以下、本発明を防水型携帯電話機に実施した形態につき、図面に沿って具体的に説明する。
本発明の一実施形態である防水型携帯電話機は、図１に示す如く、縦長直方体状の筐体(１)を具え、該筐体(１)の表面には、その上半領域に表示部(10)が配備され、その下半領域に操作部(18)が配備されている。
【００２１】
操作部(18)は、複数のテンキー(21)、センターキー(22)及びリングキー(23)から構成されている。以下、これら複数のキー(21)(22)(23)を説明の便宜上、複数の操作キー(21)(22)(23)と呼ぶ。
【００２２】
筐体(１)は、図２に示すフロントパネル(11)とバックパネル(図示省略)とから構成されており、フロントパネル(11)には、前記複数の操作キー(21)と対応する位置に複数の第１開口部(15)が開設されると共に、前記表示部(10)と対応する位置に第２開口部(16)が開設されており、複数の第１開口部(15)の間には、格子状の桟部(14)が形成されている。
【００２３】
図３及び図４に示す如く、フロントパネル(11)は枠部(12)とパネル部(13)とを互いに貼り合わせて一体化したものであり、パネル部(13)の表面を覆って、キーシート(２)が配置され、キーシート(２)の外周部(20)が防水テープ(71)を介してフロントパネル(11)のパネル部(13)の表面に貼着固定されている。
【００２４】
キーシート(２)は、複数の操作キー(21)(22)(23)が一体に形成されたシリコンシート(24)と、該シリコンシート(24)の裏面に貼り着けられた平板状のウレタンシート(25)とから構成されており、キーシート(２)の背面は平面を形成している。
【００２５】
キーシート(２)の外周部(20)の表面を覆って、化粧パネル(４)が設置される。
又、フロントパネル(11)の背面側には、スイッチシート(５)を搭載したシャーシ(61)が配置され、該シャーシ(61)は、樹脂フレーム(６)によって支持されている。
スイッチシート(５)の表面には、複数の操作キー(21)(22)(23)と対応する位置に、複数のメタルドームスイッチ(51)が配備されている。
【００２６】
フロントパネル(11)のパネル部(13)とスイッチシート(５)との間には、シリコンゴム等の弾性材料からなる押し子シート(３)が介在している。
押し子シート(３)の表面には、各操作キー(21)(22)(23)と対応する位置に複数の押し子(31)が一体に形成されている。各押し子(31)は、フロントパネル(11)の第１開口部(15)内へ突出する押し子上半部(32)と、スイッチシート(５)のメタルドームスイッチ(51)へ向けて突出する押し子下半部(33)とから構成されている。
【００２７】
フロントパネル(11)のパネル部(13)と樹脂フレーム(６)との間には、Ｏリングからなる防水パッキン(７)が介在している。
防水パッキン(７)は、キーシート(２)の外周部(20)と筐体(１)の幅方向の両側部とが断面において重なる位置を通過し、且つ複数の第１開口部(15)と前記第２開口部(16)とを包囲するようにループ状に形成され、筐体(フロントパネル(11))の内部空間(裏面)に配置されている。
【００２８】
上記携帯電話機においては、キーシート(２)がフロントパネル(11)の表面側から組み付けられて、キーシート(２)の外周部(20)がフロントパネル(11)の表面に貼着固定されているので、キーシート(２)の裏面とスイッチシート(５)の表面との間に、フロントパネル(11)の介在によるギャップが生じるが、該ギャップ内に押し子シート(３)が介在して、キーシート(２)の操作キー(21)の押圧時には、該操作キー(21)の変位が、押し子シート(３)の押し子(31)を介して、スイッチシート(５)のスイッチ部(メタルドームスイッチ(51))に伝えられる。
【００２９】
ここで、フロントパネル(11)には、複数の第１開口部(15)が開設されているが、これら複数の第１開口部(15)の間には格子状の桟部(14)が形成されているので、フロントパネル(11)は高い剛性を有している。
従って、操作キー(21)の押圧操作によってフロントパネル(11)自体は僅かに弾性変形するに過ぎず、該フロントパネル(11)の第１開口部(15)内にて押し子シート(３)の押し子(31)が弾性変位して、スイッチシート(５)のメタルドームスイッチ(51)を押圧する。これによって、メタルドームスイッチ(51)の接点が閉じられることになる。
【００３０】
上記防水型電子機器によれば、キーシート(２)がフロントパネル(11)の表面側から組み付けられて、キーシート(２)の外周部(20)がフロントパネル(11)の表面に貼着固定されているので、フロントパネル(11)の裏面側に、キーシート(２)の外周部(20)の幅方向の両側部(固定部)と重ねて、防水パッキン(７)を配置することが出来る。
この防水パッキン(７)と防水テープ(71)とによって、筐体(１)の内部空間に対する防水が図られる。
【００３１】
上記の如く、フロントパネル(11)の表面に固定されるキーシート(２)の外周部(20)と防水パッキン(７)及び防水テープ(71)とが、筐体(１)の幅方向に沿う断面において上下に重なるので、図３の如く筐体(１)の側面から操作キー(21)の配列領域(操作部(18))までの距離(オフセット量)Ａが小さくなり、これに伴って複数の操作キー(21)の配列領域の幅Ｗが広くなる。例えば図５に示す従来の携帯電話機における幅Ｗ１が３６.８ｍｍであるのに対し、図１に示す本発明の携帯電話機における幅Ｗは３８.９ｍｍとなる。
これによって、各操作キー(21)(22)(23)のサイズ若しくは間隔の拡大が可能となり、操作性が良好となる。
【００３２】
尚、本発明の各部構成は上記実施の形態に限らず、特許請求の範囲に記載の技術的範囲内で種々の変形が可能である。例えば防水テープ(71)に替えて、防水性を有する両面粘着テープを採用することが出来る。
又、メタルドームスイッチ(51)を具えたスイッチシート(５)に替えて、押圧操作に感応する種々のスイッチ部を具えたスイッチシートを採用することが出来る。
【符号の説明】
【００３３】
(１)  筐体
(10)  表示部
(11)  フロントパネル
(12)  枠部
(13)  パネル部
(14)  桟部
(15)  第１開口部
(16)  第２開口部
(18)  操作部
(２)  キーシート
(20)  外周部
(21)  操作キー
(24)  シリコンシート
(25)  ウレタンシート
(３)  押し子シート
(31)  押し子
(32)  押し子上半部
(33)  押し子下半部
(４)  化粧パネル
(５)  スイッチシート
(51)  メタルドームスイッチ
(６)  樹脂フレーム
(７)  防水パッキン
(71)  防水テープ
【図１】
0005833452.tif 000002
【図２】
0005833452.tif 000003
【図３】
0005833452.tif 000004
【図４】
0005833452.tif 000005
【図５】
0005833452.tif 000006
【図６】
0005833452.tif 000007